(57)【特許請求の範囲】
【請求項１】
リレーノード(RN)は、エボリューションした基地局(eNB)が送信した、リレーダウンリンク制御チャネル(R-PDCCH)にロードされたダウンリンク制御情報を受信し、制御リソースを得ることと、
前記RNは前記制御リソースのインデックス番号に基づいて、前記制御リソースを検査して自体の制御情報を得ることとを含み、
其の中、前記制御リソースは物理リソースブロック(PRB)であり、各RNのR-PDCCHが互相にインターリーブしない、RNが専用のPRBを有し、
前記RNは、eNBが送信したR-PDCCHにロードされたダウンリンク制御情報を受信し、制御リソースを得るステップは、
前記RNは、eNBがリレーのためにセミスタティックで予め保留する１グループのPRBペアにおける１または複数のPRBペアにおいて、eNBが送信したR-PDCCHにロードされたダウンリンク制御情報を受信し、および高速フーリエ変換(FFT)によって複数のPRBを得ることを含み、
前記RNが前記制御リソースのインデックス番号に基づいて、前記制御リソースを検査し、自体のダウンリンク制御情報を得るステップは、前記RNはRN識別子、リレーサブフレームのサブフレーム番号、RB総数、PRBの組み合わせフォーム及び候補のPRBの個数によって、RNの専用のサーチスペースを知り、前記RNの専用のサーチスペースはPRBインデックス番号で表示されること、及び、前記RNはRNの専用のサーチスペースにおけるPRBに対して、ブラインド検査を行い、自体のRN識別子とマッチングするPRBを検査すると、該PRBにロードされたダウンリンク制御情報は該RN自体の制御情報であることを含み、
前記RNの専用のサーチスペースは
【数３５】
0006026278.tif 000036
であり、其の中、ｎ∈｛１，２｝、ｉ＝０，．．．，ｎ−１、ｍ＝０，．．．，Ｍ（ｎ）−１、Ｍ（ｎ）は候補のPRBの個数であり、
【数３６】
0006026278.tif 000037
はeNBがリレーのためにセミスタティックで予め保留する１グループのPRBの合計数であり、Ｙｋ＝（Ａ・Ｙｋ−１）ｍｏｄＤ、Ｙ−１＝ｎＲＮＴＩ≠０、Ａ＝３９８２７、Ｄ＝６５５３７、kはリレーサブフレームのサブフレーム番号であり、前記候補のPRBの個数は四つ或いは二つであることを特徴とするダウンリンク制御情報の検査方法。
【請求項２】
前記RNのDL  grantの専用サーチスペースとUL  grantの専用サーチスペースは上記公式を採用して計算することを特徴とする請求項１に記載の検査方法。
【請求項３】
リレーノードに用いられ、受信ユニットと検査ユニットを含み、
前記受信ユニットは、エボリューションした基地局（eNB）がリレーのためにセミスタティックで予め保留する1グループのPRBにおいて、eNBが送信したリレーダウンリンク制御チャネル（R-PDCCH）にロードされたダウンリンク制御情報を受信し、制御リソースを得るように設置され、
前記検査ユニットは、制御リソースのインデックス番号に基づいて、受信ユニットから得られた制御リソースを検査し、該リレーノードのダウンリンク制御情報を得るように設置され、
その中、前記制御リソースはリレーの物理リソースブロック(PRB)ユニットであり、
前記受信ユニットは、eNBがリレーのためにセミスタティックで予め保留する1グループのPRBペアの１または複数のPRBペアにおいて、eNBが送信したR-PDCCHにロードされたダウンリンク制御情報を受信し、および高速フーリエ変換(FFT)によって複数のPRBを得るように設置され、
前記検査ユニットは、RN識別子、リレーサブフレームのサブフレーム番号、RB総数、PRBの組み合わせフォーム及び候補のPRBの個数によって、RNの専用のサーチスペースを知り、RNの専用のサーチスペースにおけるPRBに対して、ブラインド検査を行い、自体のRN識別子とマッチングするPRBを検査すると、該PRBにロードされたダウンリンク制御情報は該RN自体のダウンリンク制御情報であり、其の中、前記RNの専用のサーチスペースはPRBインデックス番号で表示されるように設置され、
前記RNの専用のサーチスペースは
【数３７】
0006026278.tif 000038
であり、
其の中、ｎ∈｛１，２｝、ｉ＝０，．．．，ｎ−１、ｍ＝０，．．．，Ｍ（ｎ）−１、Ｍ（ｎ）は候補のPRBの個数であり、
【数３８】
0006026278.tif 000039
はeNBがリレーのためにセミスタティックで予め保留する１グループのPRBの合計数であり、Ｙｋ＝（Ａ・Ｙｋ−１）ｍｏｄＤ、Ｙ−１＝ｎＲＮＴＩ≠０、Ａ＝３９８２７、Ｄ＝６５５３７、kはリレーサブフレームのサブフレーム番号であり、前記候補のPRBの個数は四つ或いは二つであることを特徴とするダウンリンク制御情報の検査装置。
【請求項４】
其の中、DL  grant専用サーチスペースとUL  grant専用サーチスペースが各所在するPRBインデックス番号でそれぞれ表示されることを特徴とする請求項３に記載の検査装置。
【発明の詳細な説明】
【技術分野】
【０００１】
本発明はモバイル通信領域に関し、特にダウンリンク制御情報の検査方法及び装置に関する。
【背景技術】
【０００２】
未来の無線通信またはセルラシステムでは、カバー範囲を増加してより高いレートの伝送を支えることが要求され、これによって、無線通信技術に対して新しいチャレンジが提出される。同時に、システム構築とメンテナンスのコストの問題がより際立った。伝送レートおよび通信距離の増加に伴って、バッテリーのエネルキー消費の問題も突出になり、且つ、将来の無線通信ではより高い周波数が使用され、これによって、パス損失の減衰がより深刻になる。高いデータレートとグループモビリティ、一時ネットワーク部署のカバー範囲を増加し、セルーエッジのスループットを高め、及びセルラシステムがカバーしないところのユーザーにサービスを提供するために、無線通信システムでは、リレー技術が導入され、これによって、リレー技術が4Gの一項の肝心技術とされる。
【０００３】
ロングタームエボリューション(Long  term  Evolution、LTE)通信システムでは、ダウンリンク制御情報(Physical  Downlink  Control  Channel、PDCCH)の設計がいくつかの異なる構成部分から構成され、各部分が其の固有の機能を備える。説明を容易にするために、以下、いくつかの用語と規則が定義される：
１.リソースユニット(Resource  Element、RE)：最小のリソースブロックであり、一つの直交周波数分割多重(Orthogonal Frequency Division Multiplexing、OFDM)シンボルにおいて一つのサブキャリアを占める。
【０００４】
２.リソースユニットグループ(Resource  Element  Group、REG)：各OFDMシンボルの上の参考シンボル位置の異なることに基づき、一つのREGが四つまたは六つのREから構成される。
【０００５】
３.制御情報ユニット(Control    Channel  Element、CCE)：36のRE、9のREGから構成され、CCEには、ユーザーのダウンリンクスケジューリング許可情報(DL  grant)とアップリンクスケジューリング許可情報(UL  grant)、及び、システムメッセージ(System  Information、SI)、ランダムアクセス(Random  Access、RA)応答、ページング(Paging)に関する情報が含まれる。
【０００６】
４.物理リソースブロック(Physical  Resource  Block、PRBと単に呼ばれる)：タイムドメインに連続１のタイムスロットであり、周波数ドメインに連続12のサブキャリアである。
【０００７】
５.物理リソースブロックペア(PRB  pair)：時間領域に連続１のサブフレームであり、周波数領域に連続12のサブキャリアである。
【０００８】
６.アグリゲーションレベル(Aggregation  level)L：CCEの組み合わせフォームであり、即ち、PDCCHがただLのCCEから構成され、其の中、つまり、PDCCHがただ１のCCEの組み合わせ(1-CCEで表示される)、２のCCEの組み合わせ(2-CCEで表示される)、４のCCEの組み合わせ(4-CCEで表示される)、及び８のCCEの組み合わせ(８-CCEで表示される)から構成され、且つ、上記４種の異なる組み合わせが４種の異なるエンコードレートにそれぞれ対応し、即ち、1-CCEのエンコードレートは2/3であり、2-CCEのエンコードレートは1/3であり、4-CCEのエンコードレートは1/6であり、8-CCEのエンコードレートは1/12である。
【０００９】
７.サーチスペース(Search  Space、SS)：サーチスペースがいくつかのグループの候補の制御チャネルから構成され、UEがサーチスペースをモニタし、且つ自体に関連するダウンリンク制御情報を検査するのに便利ために、且つサーチスペースの内でブラインド検査を行う。
【００１０】
８.２種のタイプのサーチスペース：公共サーチスペース(UE-common  Search  Space)、即ち全てのUEにモニタされたサーチスペース、其の中、SI、RAと応答する及びPagingに関連する公共情報をロードする。別はUE専用のサーチスペース(UE-specific  Search  Space)であり、其の中、UEのそれぞれのダウンリンクスケジューリング許可情報をロードする。
【００１１】
９.異なるCCE  aggregation  levelはそれに対応する候補の制御チャネルの個数を有し、其の個数即ちブラインド検査の最大回数である。例えば、UE-specific  Search  Spaceである場合に、1-CCEの候補の制御チャネルが６であると、1のCCEを１グループとすることによってブラインド検査を行う回数が６回を超えない、2-CCEの候補の制御チャネルが６であると、2のCCEを１グループとすることによってブラインド検査を行う回数が６回を超えない、4-CCEの候補の制御チャネルが2であると、4のCCEを１グループとすることによってブラインド検査を行う回数が2回を超えない、8-CCEの候補の制御チャネルが2であると、8のCCEを１グループとすることによってブラインド検査を行う回数が2回を超えない。UE-  common  Search  Spaceである場合に、4-CCEの候補の制御チャネルが4であると、4のCCEを１グループとすることによってブラインド検査を行う回数が4回を超えない、;8-CCEの候補の制御チャネルが2であると、8のCCEを１グループとすることによってブラインド検査を行う回数が2回を超えない。
【００１２】
LTEシステム中にUEはPDCCHにブラインド検査を行う詳細過程は下記である。
【００１３】
エボリューションした基地局(eNB)端では、(其の中eNBもエボリューションモード基地局と呼ばれ、即ちE-UTRAN  NodeBであり、其の中E-UTRANはEvolved  Universal  Terrestrial  Radio  Access  Networkで、エボリューションしたユニバーサル地上無線アクセスネットワークである)
ステップ１：各UEのPDCCHにロードされた制御情報に対してチャネルエンコードを行う。
【００１４】
ステップ2：エンコードした後の全部UEのPDCCHにロードされた制御情報を直列し、セル―専用のシーケンスでスクランブする。
【００１５】
ステップ3：4相位相シフトキーイング信号(Quadrature  Phase  Shift  Keying、QPSK)変調を行い、この時すべてのPDCCHにロードされた制御情報と対応する一列のCCEを得て、且つそれらに対して0からのナンバリングを行い、この時のPDCCHが合計で32のCCEから構成されることを仮定すると、それらのナンバリングはCCE0、CCE1、…、CCE31である。
【００１６】
ステップ4：REGのユニットで上記一列のCCEをインターリーブした後、REにマッピングングする。
【００１７】
ステップ5：逆方向高速フーリエ変換(Inverse  Fast  Fourier  Transform、IFFT)を行った後、発射する。
【００１８】
UE端では、
ステップ１：受信端は高速フーリエ変換(Fast  Fourier  Transform、FFT)を行った後、且つデインターリーブを経て、eNB端と同じナンバリングを備える一列のCCEを得る。
【００１９】
ステップ2：:UEは、組み合わせが1-CCEであることからブラインド検査を行い、先ず、自体の識別子(Identity、ID)、サブフレーム番号等のパラメーターに基づいて、1-CCEの最初位置を計算し、即ちナンバリングがいくつのCCEであることからブラインド検査を行い、更に、候補の制御チャネルの個数に基づいてサーチスペースを確定する。例えば、1-CCEの最初位置はCCE5であると、UEのサーチスペース即ち{CCE  5、CCE  6、CCE  7、CCE  8、CCE  9、CCE  10}である。つまり、UEは{CCE  5、CCE  6、CCE  7、CCE  8、CCE  9、CCE  10}に対してブラインド検査をそれぞれ行う必要がある。
【００２０】
ステップ3：組み合わせが1-CCEであることによってブラインド検査を行う時、UEが自体とマッチングするUE  IDを検出しないと、組み合わせが2-CCEであることからブラインド検査を行う。先ず、自体のUE-ID、サブフレーム番号等のパラメーターに依然に基づいて、2-CCEの最初位置を計算し、更に候補の制御チャネルの個数に基づいてサーチスペースを確定する。例えば、2-CCEの最初位置はCCE10であると、UEのサーチスペース即ちは{[CCE    CCE  11]、[CCE  12  CCE  13]、  …、[CCE  20  CCE  21]}である。つまり、UEは[CCE    CCE  11]、[CCE  12  CCE  13]、  …、[CCE  20  CCE  21]に対してブラインド検査をそれぞれ行う必要がある。これによって類推する。
【００２１】
ステップ4：全部のブラインド検査過程に、UEが自体とマッチングするUE  IDをモニタしないと、この時自体に属する制御シグナリングを伝達しないことを説明し、UEがスリープモードへ切り替え、UEが自体とマッチングするUE  IDをモニタすると、UEが制御シグナリングの指示によって、対応するサービス情報を復調する。
【００２２】
リレーノードが導入されたモバイル通信システムでは、図１に示すように、eNBとRNとの間のリンクはリレーリンク(Backhaul  Link、バックホールリンクとも呼ばれる）と呼ばれ、RNと其のカバー範囲のユーザーとの間のリンクはアクセスリンク(Access  Link)と呼ばれ、eNBと其のカバー範囲のUEとの間のリンクはダイレクトリンク(Direct  Link)と呼ばれる。eNBに対して、RNは一つのUEに相当する。UEに対して、RNはeNBに相当する。
【００２３】
インバンドリレー(inband  relay）とは、即ちbackhaul  linkとaccess  linkは同じ周波数帯域を使用することであり、これによって、インバンドリレーを採用する時、RN自体の送信と受信干渉を防ぐために、RNは同一の頻度リソースで送信と受信の動作を同時に行うことができない。ダウンリンク制御情報をRNに属するUEに送信する時、eNBからのダウンリンク制御情報を受信できない。これによって、ダウンリンク伝送する時に、RNは先ず前１または２のOFDMシンボルで其に属するUEにダウンリンク制御情報を送信し、そして、しばらくにわたって発射から受信までの切り替えを行い、切り替えが終了した後、後のOFDMシンボルでeNBからのデータを受信し、其の中ダウンリンク制御チャネル(Relay  Physical  Downlink  Control  Channel、R-PDCCH)と物理ダウンリンク共有チャネル(Relay  Physical  Downlink  Shared  Channel、R-PDSCH)を含み、図２に示すように、即ちeNBがRNに送信したダウンリンク制御チャネルが物理リソースブロックにロードされる。
【００２４】
eNBはR-PDCCH(RelayのPDCCH)によってダウンリンク制御情報を送信し、R-PDCCHにロードされた制御情報はRNのダウンリンク/ダウンリンクスケジューリング許可等の情報を含む。ダウンリンクbackhaulサブフレームに、eNBはいくつかのPRBをセミスタティックでリザーブしてR-PDCCHの伝送に用いられ、図３に示すように。ダウンリンクbackhaulサブフレームに、eNBはいくつかの物理リソースブロックペア(PRB  pair)をセミスタティックでリザーブし、PRB  pairがR-PDCCHの伝送に用いられる。其の中、Rel-8  UEのPDCCHが、1st  slotの前ｎ（ｎ≦３）のシンボルで伝送され、RNのダウンリンクスケジューリング許可情報(DL  grant)が、1stタイムスロット(slot)のPDCCHが占用する以外の残るシンボルで伝送され、RNのダウンリンクスケジューリング許可情報(DL  grant)が、2nd  slotで伝送される。
【００２５】
目前、Relayの研究において、R-PDCCHに対しての研究はずっとホットである。R-PDCCHの検査問題に関し、3GPP(3rd  Generation  Partnership  Project)に対してUE-common  SSに類似するRN-common  SSがただ採択され、しかし、いずれのR-PDCCH検査の方案が採択されない。
【発明の概要】
【発明が解決しようとする課題】
【００２６】
ダウンリンク制御情報の検査方法及び装置を提出し、LTE-Aシステムではリレーノードが導入された後、リレーノードが自体に属するダウンリンク制御情報をどのように検索する問題を解決する。
【課題を解決するための手段】
【００２７】
上記の技術問題を解決するために、本発明はダウンリンク制御情報の検査方法を提供し、
ノード(RN)は、エボリューションした基地局(eNB)が送信した、リレーダウンリンク制御チャネル(R-PDCCH)にロードされたダウンリンク制御情報を受信し、制御リソースを得て、
其の中、前記制御リソースは、基地局がリレーのためにセミスタティックで予め保留する１グループのPRBにロードされ、前記制御リソースは制御情報ユニット(R-CCE)又は物理リソースブロック(PRB)ユニットに基づくことを含み、
前記制御リソースはR-PDCCHにロードされたダウンリンク制御情報であり、
前記方法は、前記RNが前記制御リソースのインデックス番号に基づいて、前記制御リソースを検査し、自体のダウンリンク制御情報を得ることをさらに含む。
【００２８】
上記検査方法はまた以下の特徴を備えてもよい：
前記制御リソースはR-CCEに基づく時に、全部のRNのR-PDCCHと一緒にインターリーブし、前記RNは、eNBが送信したR-PDCCHにロードされたダウンリンク制御情報を受信し、制御リソースを得るステップは、
前記RNは、eNBがリレーのためにセミスタティックで予め保留する１グループのPRBにおいて、eNBが送信したR-PDCCHにロードされたダウンリンク制御情報を受信し、高速フーリエ変換(FFT)とデインターリーブによって複数のR-CCEを得ることを含む。
【００２９】
上記検査方法はまた以下の特徴を備えてもよい：
前記制御リソースはPRBユニットに基づく時、各RNのR-PDCCHが互相にインターリーブしない、RNが専用のPRBを有し、前記RNは、eNBが送信したR-PDCCHにロードされたダウンリンク制御情報を受信し、制御リソースを得るステップは、
前記RNは、eNBがリレーのためにセミスタティックで予め保留する１グループのPRBにおける１または複数のPRBに、eNBが送信したR-PDCCHにロードされたダウンリンク制御情報を受信することを含む。
【００３０】
上記検査方法はまた以下の特徴を備えてもよい：
前記リソース制御はR-CCEに基づく時、前記RNが前記制御リソースのインデックス番号に基づいて、前記制御リソースを検査し、自体の制御情報を得るステップは、
前記RNはRN識別子、リレーサブフレームのサブフレーム番号、CCEの組み合わせフォーム及び候補の制御チャネルの個数によって、RNの専用のサーチスペースを知る。前記RNの専用のサーチスペースはR-CCEのインデックス番号で表示され、及び、
前記RNはRNの専用のサーチスペースにおけるR-CCEに対して、ブラインド検査を行い、自体のRN識別子とマッチングするR-CCEを検査すると、該R-CCEにロードされたダウンリンク制御情報は該RN自体の制御情報であることを含む。
【００３１】
上記検査方法はまた以下の特徴を備えてもよい：
前記RNの専用のサーチスペースは：
【００３２】
【数１】
0006026278.tif 000002
其の中、Ｌ∈｛１，２，４，８｝またはＬ∈｛１，２，４｝またはＬ∈｛１，２｝またはＬ∈｛１｝、ｉ＝０，．．．，Ｌ−１、ｅ＝０，．．．，Ｅ（Ｌ）−１、Ｅ（Ｌ）は候補の制御チャネルの個数であり、ＮＲ−ＣＣＥ，ｋはeNBが割り当てる、リレーリンク伝送に用いられるR-CCEの合計数であり、Ｙｋ＝（Ａ・Ｙｋ−１）ｍｏｄＤ、Ｙ−１＝ｎＲＮＴＩ≠０、Ａ＝３９８２７、Ｄ＝６５５３７、kはリレーサブフレームのサブフレーム番号であり、ｎＲＮＴＩはRN識別子のインデックス番号である。前記候補の制御チャネルの個数は六つ或いは四つ或いは二つである。
【００３３】
DL  grantが第1のslotにマッピングされ、UL  grantが第2のslotにマッピングされ、これによって、RNはDL  grantとUL  grantをそれぞれ検査し、即ちRNが第1のslotにDL  grantを検査し、第2のslotにUL  grantを検査し、つまり、この時のRNは二種の専用サーチスペースを備え、即ちDL  grant専用サーチスペースとUL  grant専用サーチスペース。前記RNのDL  grant専用サーチスペースとUL  grant専用サーチスペースの計算方法は上記のように、其の中、同じまたは異なるL値を備えている。
【００３４】
上記検査方法はまた以下の特徴を備えてもよい：
前記制御リソースはPRBに基づく時、前記RNが前記制御リソースのインデックス番号に基づいて、前記制御リソースを検査し、自体のダウンリンク制御情報を得るステップは、
前記RNはRN識別子、リレーサブフレームのサブフレーム番号、PRBの組み合わせフォーム及び候補のPRBの個数によって、RNの専用のサーチスペースを知る。前記RNの専用のサーチスペースはPRBインデックス番号で表示され、及び、
前記RNはRNの専用のサーチスペースにおけるPRBに対して、ブラインド検査を行い、自体のRN識別子とマッチングするPRBを検査すると、該PRBにロードされたダウンリンク制御情報は該RN自体の制御情報であることを含む。
【００３５】
上記検査方法はまた以下の特徴を備えてもよい：
前記RNの専用のサーチスペースは：
【００３６】
【数２】
0006026278.tif 000003
其の中、ｎ∈｛１，２，４，８｝またはｎ∈｛１，２，４｝またはｎ∈｛１，２｝またはｎ∈｛１｝、ｉ＝０，．．．，ｎ−１、ｍ＝０，．．．，Ｍ（ｎ）−１、Ｍ（ｎ）は候補のPRBの個数であり、
【数３】
0006026278.tif 000004
はeNBがリレーのためにセミスタティックで予め保留する１グループのPRBの合計数であり、Ｙｋ＝（Ａ・Ｙｋ−１）ｍｏｄＤ、Ｙ−１＝ｎＲＮＴＩ≠０、Ａ＝３９８２７、Ｄ＝６５５３７、kはリレーサブフレームのサブフレーム番号である。前記候補のPRBの個数は六つ四つ或いは二つである。
【００３７】
RNは、第1のタイムスロットにDL  grantを検査し、第2のタイムスロットにUL  grantを検査する。
【００３８】
前記のRNのDL  grantの専用サーチスペースとUL  grantの専用サーチスペースは上記公式を採用して計算し、前記RNのDL  grantの専用サーチスペースとUL  grantの専用サーチスペースは計算する時、同じまたは異なるL値を備えている。
【００３９】
nは2又は4又は8である時に、公式に基づいて得られた連続の2又は4又は8のPRBインデックス番号の間に一つの固定の整数倍の間隔を挿入し、非連続のPRBを得る。
【００４０】
上記検査方法はまた以下の特徴を備えてもよい：
前記RNが前記制御リソースのインデックス番号に基づいて、前記制御リソースを検査するステップは、eNBが放送シグナリング又は高層シグナリング又はランダムアクセス過程中のmessage2メッセージによって、前記RNのR-PDCCHの制御リソースのインデックス番号を通知し、さらに前記制御リソースのインデックス番号と対応する制御リソースを検査する、及び、
eNBが放送シグナリング又は高層シグナリング又はランダムアクセス過程中のmessage2メッセージによって、前記RNのDL  grantとUL  grantそれぞれのインデックス番号を通知し、さらに前記DL  grantとUL  grantのそれぞれのインデックス番号と対応する制御リソースを検査することを含む。
【００４１】
上記検査方法はまた以下の特徴を備えてもよい：
前記eNBはビットマップによって、前記RNのR-PDCCHの制御リソースのインデックス番号を通知する。或いは、eNBはツリー構造によって、前記RNのR-PDCCHの制御リソースのインデックス番号を通知する。
【００４２】
上記検査方法はまた以下の特徴を備えてもよい：
前記RNが前記制御リソースのインデックス番号に基づいて、制御リソースを検査するステップは、eNBと前記RNが、RNと制御リソースのインデックス番号との間の各種の組み合わせ方式を規約したことによって、さらに前記制御リソースのインデックス番号と対応する制御リソースを検査することを含む。
【００４３】
上記検査方法はまた以下の特徴を備えてもよい：
前記eNBはRNの放送チャネルによって、RNと制御リソースのインデックス番号との間の組み合わせ方式の変化を前記RNに通知する。
【００４４】
前記制御リソースはR-CCEに基づく時に、前記RNのDL  grantを一緒にインターリーブし、UL  grantを一緒にインターリーブする。
【００４５】
前記RNは、eNBが送信したR-PDCCHにロードされたダウンリンク制御情報を受信し、制御リソースを得るステップは、
前記RNは、eNBがリレーのためにセミスタティックで予め保留する1グループのPRB pairの第1のタイムスロットにおいて、一緒にインターリーブしたDL  grantを受信し、高速フーリエ変換(FFT)とデインターリーブによって、複数のＲ−ＣＣＥＤＬ  ｇｒａｎｔを得て、
eNBがリレーのためにセミスタティックで予め保留する1グループのPRB pairの第2のタイムスロットにおいて、一緒にインターリーブしたUL  grantを受信し、高速フーリエ変換(FFT)とデインターリーブによって、複数のＲ−ＣＣＥＵＬ  ｇｒａｎｔを得て、及び、
RNはDL  grantサーチスペースとUL  grantサーチスペースをそれぞれ検査することをさらに含む。
【００４６】
前記制御リソースはPRBユニットに基づく時、各RNのR-PDCCHが互相にインターリーブしない、RNが専用のPRBを有し、前記RNは、eNBが送信したR-PDCCHにロードされたダウンリンク制御情報を受信し、制御リソースを得るステップは、
前記RNは、eNBがリレーのためにセミスタティックで予め保留する１または複数のPRB pairの第1のタイムスロットにおいてDL  grantを受信し、第2のタイムスロットにUL  grantを受信する。
【００４７】
RNはDL  grantサーチスペースとUL  grantサーチスペースをそれぞれ検査することを含む。
【００４８】
前記DL grantとUL grantは同じ又は異なるアグリゲーションレベルと対応する。
【００４９】
上記の技術問題を解決するために、本発明はダウンリンク制御情報の検査装置を提供し、リレーノードに用いられ、前記装置は受信ユニットと検査ユニットを含む。
【００５０】
前記受信ユニットは、eNBがリレーのためにセミスタティックで予め保留する1グループのPRBに、eNBが送信したR-PDCCHにロードされたダウンリンク制御情報を受信し、制御リソースを得るために設置された。
【００５１】
前記検査ユニットは、制御リソースのインデックス番号に基づいて、受信ユニットから得られた制御リソースを検査し、該リレーノードのダウンリンク制御情報を得るために設置された。
【００５２】
前記受信ユニットは、得られた制御リソースはR-PDCCHにロードされたダウンリンク制御情報であり、前記制御リソースはリレーの制御情報(R-CCE)ユニット又は物理リソースブロック(PRB)ユニットに基づくために設置された。
【００５３】
上記検査装置はまた以下の特徴を備えてもよい：
前記受信ユニットは、eNBがリレーのためにセミスタティックで予め保留する1グループのPRBまたはPRBpairにおいて、eNBが送信したR-PDCCHにロードされたダウンリンク制御情報を受信し、FFTとデインターリーブによって、複数のR-CCEを得て、
eNBがリレーのためにセミスタティックで予め保留する1グループのPRBpairの第１のslotにおいて、一緒にインターリーブしたDL  grantを受信し、第2のslotに、一緒にインターリーブしたUL  grantを受信するために設置された。
【００５４】
上記検査装置はまた以下の特徴を備えてもよい：
前記受信ユニットは、eNBがリレーのためにセミスタティックで予め保留する1グループのPRBに、または、PRBpairの１または複数のPRBに、eNBが送信したR-PDCCHにロードされたダウンリンク制御情報を受信し、
eNBがリレーのためにセミスタティックで予め保留する１または複数のPRBpairの第１のslotにおいてDL  grantを受信し、第2のslotにUL  grantを受信するためにさらに設置された。
【００５５】
上記検査装置はまた以下の特徴を備えてもよい：
前記検査ユニットは、また、RN識別子、リレーサブフレームのサブフレーム番号、CCEの組み合わせフォーム及び候補の制御チャネルの個数によって、RNの専用のサーチスペースを知り、RNの専用のサーチスペースにおけるR-CCEに対して、ブラインド検査を行い、自体のRN識別子とマッチングするR-CCEを検査すると、該R-CCEにロードされたダウンリンク制御情報は該RN自体の制御情報であるためにさらに設置され、
其の中、前記RNの専用のサーチスペースはR-CCEインデックス番号で表示される。
【００５６】
前記検査ユニットは、DL  grantが第1のslotにマッピングされ、UL  grantが第2のslotにマッピングされ、これによって、DL  grantとUL  grantをそれぞれ検査し、即ちRNが第1のslotにDL  grantを検査し、第2のslotにUL  grantを検査し、つまり、この時のRNは二種の専用サーチスペースを備え、即ちDL  grant専用サーチスペースとUL  grant専用サーチスペース。それぞれに各のR-CCEインデックス番号で表示されるために設置された。
【００５７】
上記検査装置はまた以下の特徴を備えてもよい：
前記検査ユニットは、RN識別子、リレーサブフレームのサブフレーム番号、PRBの組み合わせフォーム及び候補のPRBの個数によって、RNの専用のサーチスペースを知り、RNの専用のサーチスペースにおけるPRBに対して、ブラインド検査を行い、自体のRN識別子とマッチングするPRBを検査したと、該PRBにロードされたダウンリンク制御情報は該RN自体の制御情報であるために設置され、
其の中、前記RNの専用のサーチスペースはPRBインデックス番号で表示される。
【００５８】
前記検査ユニットは、DL  grantが第1のslotにマッピングされ、UL  grantが第2のslotにマッピングされ、これによって、DL  grantとUL  grantをそれぞれ検査し、即ち第1のslotにDL  grantを検査し、第2のslotにUL  grantを検査し、つまり、この時のRNは二種の専用サーチスペースを備え、即ちDL  grant専用サーチスペースとUL  grant専用サーチスペース、それらが存在するPRBインデックス番号で表示するために設置された。
【００５９】
上記検査装置はまた以下の特徴を備えてもよい：
前記検査ユニットは、eNBが放送シグナリング又は高層シグナリング又はランダムアクセス過程中のmessage2メッセージによって、前記RNのR-PDCCHの制御リソースのインデックス番号を通知することに基づき、さらに前記制御リソースのインデックス番号と対応する制御リソースを検査する、及び、
eNBが放送シグナリング又は高層シグナリング又はランダムアクセス過程中のmessage2メッセージによって、前記RNのDL  grantとUL  grantのそれぞれのインデックス番号を通知することに基づき、さらに前記DL  grantとUL  grantのそれぞれのインデックス番号と対応する制御リソースを検査することために設置された。
【００６０】
上記検査装置はまた以下の特徴を備えてもよい：
前記検査ユニットは、eNBと前記RNが、RNと制御リソースのインデックス番号との間の各種の組み合わせ方式を規約したことによって、さらに前記制御リソースのインデックス番号と対応する制御リソースを検査するために設置された。
【００６１】
上記問題を解決するため、本発明はロードモジュールと送信モジュールとを含むエボリューションしたノードB(eNB)を提供し、その中、
前記ロードモジュールは、リレーダウンリンク制御チャネル(R-PDCCH)においてリレーノード(RN)のダウンリンク制御情報をロードし、且つ前記送信モジュールへ前記R-PDCCHを送信するように設置され、
前記送信モジュールは、前記リレーノードへ前記R-PDCCHを送信することで、前記RNに制御リソースを獲得させ、そして、前記RNが制御リソースのインデックス番号によって前記制御リソースに対し検査して自体の制御情報を得るように設置され、
その中、前記制御リソースはリレーの制御情報ユニット（R-CCE）または物理リソースブロック(PRB)である。
【発明の効果】
【００６２】
上記に説明するように、本発明は、backhaul  linkのわりによいチャネル条件を十分に利用し、RNがR-PDCCHに対しての検査の複雑度を大幅に簡素化した。本発明はRNに良く適用し、システムオーバーヘッドを節約し、システムの伝送効率を高めた。
【図面の簡単な説明】
【００６３】
【図１】図１はRelayが導入された後の基本なシステムフレームワークである。
【図２】図２はダウンリンクbackhaulサブフレームのフレーム構造である。
【図３】図３はR-PDCCHとPDCCHの位置関係図である。
【図４】図４は本発明の実施例一のダウンリンク制御情報の検査方法のフローチャートである。
【図５】図５は本発明の実施例二のダウンリンク制御情報の検査方法のフローチャートである。
【発明を実施するための形態】
【００６４】
本発明において、RNは、eNBが送信したR-PDCCHにロードされたダウンリンク制御情報を受信し、制御リソースを得る。前記RNは、前記制御リソースのインデックス番号に基づいて前記制御リソースを検査し、自体の制御情報を得る。
【００６５】
其の中、前記制御リソースは制御情報ユニット(R-CCE)又は物理リソースブロック(PRB)ユニットである。
【００６６】
即ち、RNは、R-CCE  index(Relayの制御情報ユニットのインデックス番号)に基づかれてダウンリンク制御チャネルを検査し、PRB  index(物理リソースブロックのインデックス番号)に基づかれてダウンリンク制御チャネルも検査する。
【００６７】
以下、図面及び具体の実施例を参照して本発明を詳しく説明する。
【００６８】
実施例一、R-CCE  indexに基づいてダウンリンク制御チャネルを検査する。
【００６９】
図４に示すように、本発明の実施例は以下のステップを含み：
ステップ301、RNは、eNBがリレーのためにセミスタティックで予め保留する１グループのPRBにおいて、eNBが送信したR-PDCCHにロードされたダウンリンク制御情報を受信し、FFTとデインターリーブによって複数のR-CCEを得る。
【００７０】
ステップ302、前記RNは、R-CCEのインデックス番号に基づいてR-CCEを検査し、自体の制御情報を得る。
【００７１】
この方法において、異なるRNの制御情報自体が互相に一緒にインターリーブされたが、異なるRNは異なるサーチスペースを備える。
【００７２】
其の中、暗黙通知法又は明示通知法によってR-CCEのインデックス番号を得る。
【００７３】
１、暗黙通知法：RN  ID、backhaulサブフレーム(即ちリレーサブフレーム)のサブフレーム番号、aggregation  level  L及び候補の制御チャネルの個数を利用し、異なるLと対応するRN-specificサーチスペース
【数４】
0006026278.tif 000005
を算出し、RN-specificサーチスペースがR-CC  Eindexで表示され、該RNは、RN-specificサーチスペースにおけるR-CCEに対してブラインド検査を行い、自体のRN  IDとマッチングするR-CCEを検査したと、該R-CCEにロードされたダウンリンク制御情報は該RN自体の制御情報である。
【００７４】
更に、eNBとRNとの間のチャネル条件がeNBとUEとの間のチャネル条件よりはるかに優れ、これによって、上記計算方法を改善し、ブラインド検査の回数を更に下げるのに便利だ。具体の改善のパラメーターは以下のように、
R-PDCCHがLの組み合わせから構成されることしかできない、其の中、Ｌ∈｛１，２｝、即ちR-PDCCHが1のR-CCEの組み合わせ(1-R-CCEで表示される)或いは２のR-CCEの組み合わせ(2-R-CCEで表示される)から構成されることしかできない、且つ2種のわりに高いエンコードレートとそれぞれに対応する。
【００７５】
1-R-CCEと2-R-CCEの候補の制御チャネルの個数が４或いは２に制限され、即ちRNが1-R-CCEと2-R-CCEによってブラインド検査を行う時、最多４回数或いは２回を超えない。
【００７６】
其の中、RN専用のサーチスペース
【数５】
0006026278.tif 000006
は、
【数６】
0006026278.tif 000007
であり、
其の中、Ｌ∈｛１，２｝、ｉ＝０，．．．，Ｌ−１、ｅ＝０，．．．，Ｅ（Ｌ）−１、Ｅ（Ｌ）は候補の制御チャネルの個数であり、ＮＲ−ＣＣＥ，ｋはeNBが割り当てる、リレーリンクの伝送に用いられるR-CCEの合計数であり、Ｙｋ＝（Ａ・Ｙｋ−１）ｍｏｄＤ、Ｙ−１＝ｎＲＮＴＩ≠０、Ａ＝３９８２７、Ｄ＝６５５３７、ｋはbackhaulサブフレームのサブフレーム番号であり、ｎＲＮＴＩはRN  IDのインデックス番号である。
【００７７】
２、明示通知法：各RNのR-PDCCHのR-CCE  indexを固定してにロードし、eNBが前記RNのR-PDCCHのR-CCEのインデックス番号を通知し、RNがブラインド検査を行う必要がない、セル―におけるRN個数がわりに少ない状況に適用する。
【００７８】
其の中、R-CCE  indexを通知する具体の方法は以下のようにてもよい、
1）ランダムアクセス情報2(message  2)或いは高層シグナリングにロードされたR-CCE  indexによって、RNの其々のR-CCE  indexを明確的に通知することに用いられる。二種の方式を具体的に備え：
(1)ビットマップ(bitmap)方式：サブフレームkにおいてＮＲ−ＣＣＥ，ｋのCCEが備えられると、ＮＲ−ＣＣＥ，ｋのビットを必要としてR-CCE  indexを通知する。
【００７９】
(2)ツリー構造方式:R-PDCCHが組成されたR-PDCCHのR-CCEは連続性を備え、1又は2のR-CCEから組成され、これによって、ツリー構造の方法を利用してオーバーヘッドをさらに節約できる。該方式において、eNBとRNがビットで表示したR-CCEの各種の規約組み合わせ方式を規約した必要がある。サブフレームkにおいてＮＲ−ＣＣＥ，ｋのCCEが備えられると、
【数７】
0006026278.tif 000008
ビットを必要とする。
【００８０】
2)上記固定されたR-CCE  indexをセミスタティックで変更する：eNBとRNがRNとR-CCE  indexとの間のいくつかの組み合わせ方式を予め規定する。eNBはRNの放送チャネル(Relay  Physical  Broadcast  Channel、R-PBCH)によって、RNとR-CCE  indexインデックス番号との間の組み合わせ方式の変化を前記RNに通知し、R-CCE  indexがセミスタティックで変更されることを実現する。
【００８１】
相応的に、本発明の実施例のダウンリンク制御情報の検査装置は、リレーノードに用いられ、受信ユニットと検査ユニットを含む。
【００８２】
前記受信ユニットは、eNBがリレーのためにセミスタティックで予め保留する1グループのPRBにおいて、eNBが送信したR-PDCCHにロードされたダウンリンク制御情報を受信し、FFTとデインターリーブを行い、複数のR-CCEを得るために用いられる。
【００８３】
前記検査ユニットは、R-CCE  indexに基づいて、受信ユニットから得られたR-CCEを検査し、該リレーノードの制御情報を得るために用いられる。
【００８４】
相応的に、エボリューションしたノードB(eNB)であって、ロードモジュールと送信モジュールとを含み、その中、
前記ロードモジュールは、リレーダウンリンク制御チャネル(R-PDCCH)においてリレーノード(RN)のダウンリンク制御情報をロードし、且つ前記送信モジュールへ前記R-PDCCHを送信するように設置され、
前記送信モジュールは、前記リレーノードへ前記R-PDCCHを送信することで、前記RNに制御リソースを獲得させ、そして、前記RNが制御リソースのインデックス番号によって前記制御リソースに対し検査して自体の制御情報を得るように設置され、
その中、前記制御リソースはリレーの制御情報ユニット（R-CCE）または物理リソースブロック(PRB)である。
【００８５】
好ましいのは、前記送信モジュールは、前記制御リソースがR-CCEである時、eNBがすべてのRNのR-PDCCHロードした制御情報をインターリーブした後、eNBがリレーのためにセミスタティックで予め保留した１グループのPRBまたはPRBペアにおいて送信するように設置され、
eNBがリレーのためにセミスタティックで予め保留した１グループのPRBペアの第１のタイムスロットにおいて一緒にインターリーブされるDL grantを送信し、第２のタイムスロットにおいて一緒にインターリーブされるUL grantを送信する。
【００８６】
好ましいのは、前記送信モジュールは、前記制御リソースがPRBユニットである時、各RNのR-PDCCHはお互いインターリーブしなく、RNが専用のPRBを有し、eNBがリレーのためにセミスタティックで予め保留した１グループのPRBまたはPRBペアの1つまたは複数PRBにおいてR-PDCCHロードの制御情報を送信するように設置され、
eNBがリレーのためにセミスタティックで予め保留した1つまたは複数PRBの第１のタイムスロットにおいてDL grantを送信し、第２のタイムスロットにおいてUL grantを送信する。
【００８７】
好ましいのは、前記eNBは、放送シグナリング又は高層シグナリング又はランダムアクセス過程中のmessage2メッセージによって、前記RNのR-PDCCHの制御リソースのインデックス番号を通知し、前記RNに、前記制御リソースのインデックス番号と対応する制御リソースを検査させ、および
eNBは放送シグナリング又は高層シグナリング又はランダムアクセス過程中のmessage2メッセージによって、前記RNにDL grantと UL grantそれぞれのインデックス番号を通知し、前記RNに、前記L grantと UL grantそれぞれのインデックス番号に対応する制御リソースを検査させるようにさらに設置される。
【００８８】
好ましいのは、前記eNBはビットマップによって、前記RNのR-PDCCHの制御リソースのインデックス番号を通知する、或いは、eNBはツリー構造によって、前記RNのR-PDCCHの制御リソースのインデックス番号を通知する。
【００８９】
好ましいのは、前記eNBは、RNと制御リソースのインデックス番号との間の各種の組み合わせ方式を前記RNと約束したことによって、前記RNに、前記制御リソースのインデックス番号と対応する制御リソースを検査させるようにさらに設置される。
【００９０】
好ましいのは、前記eNBは、RNの放送チャネルによって、RNと制御リソースのインデックス番号との間の組み合わせ方式の変化を前記RNに通知するようにさらに設置される。
【００９１】
好ましいのは、前記送信モジュールは、各RNのR-PDCCHロードの制御情報に対しそれぞれチャネルコーディングし、コーディングしたすべてのRNのR-PDCCHロードの制御情報を直列してスクランブリングし、変調後すべてのR-PDCCH対応のR-CCEが獲得され、前記R-CCEに対し番号付けR-CCEのインデックス番号が得られ、前記R-CCEに対しREGをユニットとしてインターリーブした後、eNBがリレーのためにセミスタティックで予め保留した相応PRBにマッピングし、逆高速フーリエ変換IFFTを行った後送信するように設置される。
【００９２】
好ましいのは、前記送信モジュールは、各RNのR-PDCCHロードの制御情報に対しそれぞれチャネルコーディングし、コーディングした各RNのR-PDCCHロードの制御情報をスクランブリングし、変調後各RNの独立のR-PDCCHロードの制御情報が獲得され、前記各RNのR-PDCCHロードの制御情報を各自チャネル相応のPRBにマッピングし、IFFTを行った後送信するように設置される。
【００９３】
実施例二、PRB  indexに基づいてダウンリンク制御チャネルを検査する。
【００９４】
図５に説明ように、本発明の実施例は以下のようなステップを含み：
ステップ401、RNは、eNBがリレーのためにセミスタティックで予め保留する1グループのPRBにおける1または複数のPRBにおいて、eNBが送信したR-PDCCHにロードされた制御情報を受信する。
【００９５】
ステップ402、前記RNはPRBのインデックス番号に基づいてPRBを検査し、自体の制御情報を得る。
【００９６】
該方法において、異なるRNのダウンリンク制御チャネルは自体が独立で、互相に一緒にインターリーブしない、RN-specificサーチスペースは何らかの専用のPRBに位置する。
【００９７】
其の中、暗黙通知法又は明示通知法によってR-CCEのインデックス番号を得ることができる。
【００９８】
1、暗黙通知法：異なるRNのR-PDCCHは異なる最初PRB  indexを備え、RN  ID、backhaulサブフレームのサブフレーム番号、PRBの組み合わせフォームn及び候補のPRBの個数を利用し、異なるnと対応するRN-specificサーチスペース
【数８】
0006026278.tif 000009
を算出した、RN-specificサーチスペースがPRB  indexで表示され。該RNは、RN-specificサーチスペース
【数９】
0006026278.tif 000010
におけるPRBに対してブラインド検査を行い、自体のRN  IDとマッチングするPRBを検査すると、該PRBにロードされた制御情報は該RN自体の制御情報である。
【００９９】
其の中、RN-specificサーチスペースの具体の計算方法は以下のように、
R-PDCCHがnのPRBの組み合わせから構成されることしかできない、其の中、ｎ∈｛１，２｝、即ちR-PDCCHが1のPRBの組み合わせ(1-PRBで表示される)或いは２のPRBの組み合わせ(2-PRBで表示される)から構成されることしかできない、且つ2種のわりに高いエンコードレートとそれぞれに対応した。
【０１００】
1-PRBと2-PRBの候補の制御チャネルの個数が４或いは２にすべて制限され、即ちRNが1-PRBと2-PRBによってブラインド検査を行う時、最多４回数或いは２回を超えない。
【０１０１】
この時、RN-specificサーチスペースは、
【数１０】
0006026278.tif 000011
であり、
其の中、ｎ∈｛１，２｝、ｉ＝０，．．．，ｎ−１、ｍ＝０，．．．，Ｍ（ｎ）−１、Ｍ（ｎ）は候補のPRBの個数であり、
【数１１】
0006026278.tif 000012
は基地局がリレーセにミスタティックで予め保留するの1グループのPRBの合計数であり、Ｙｋ＝（Ａ・Ｙｋ−１）ｍｏｄＤ、Ｙ−１＝ｎＲＮＴＩ≠０、Ａ＝３９８２７、Ｄ＝６５５３７、ｋはbackhaulサブフレームのサブフレーム番号である。
【０１０２】
２、明示通知法：各RNのR-PDCCHが占めたPRB  indexを固定し、eNBによって前記RNのR-PDCCHのPRB indexを通知する。
【０１０３】
1）ランダムアクセス情報2(message  2)或いは高層シグナリングにロードされたR-PDCCHがあるPRB  indexによって、RNが其々占めるPRB  indexを明示的に通知することに用いられる、同様的に、eNBは、上記bitmap)方式とツリー構造方式の方法を利用し、RNを通知する。其の中RNはブラインド検査を行う必要がない。
【０１０４】
2)上記固定されたPRB  indexをセミスタティックで変更する：eNBとRNがRNとPRB  indexとの間のいくつかの組み合わせ方式を予め規定する。eNBはRNの放送チャネル(Relay  Physical  Broadcast  Channel、R-PBCH)によって、RNとPRB indexインデックス番号との間の組み合わせ方式の変化を前記RNに通知し、PRB indexがセミスタティックで変更されることを実現する。
【０１０５】
実施例三、R-CCE  indexに基づいてDL  grantとUL  grantをそれぞれ検査する。
【０１０６】
ステップ１、RNは、eNBがリレーにセミスタティックで予め保留する1グループのPRBにおける第１のslotに、eNBが送信したDL  grantを受信し、第2のslotにeNBが送信したUL  grantを受信しする。FFTとデインターリーブをそれぞれ経た後、DL  grantと対応する複数のR-CCEを得て、Ｒ−ＣＣＥＤＬ  ｇｒａｎｔと単に呼ばれ、UL  grantと対応する複数のR-CCEを得て、Ｒ−ＣＣＥＵＬ  ｇｒａｎｔと単に呼ばれる。
【０１０７】
ステップ２、前記RNはＲ−ＣＣＥＤＬ  ｇｒａｎｔインデックス番号に基づいてＲ−ＣＣＥＤＬ  ｇｒａｎｔを検査し、自体のDL  grantを得る。前記RNはＲ−ＣＣＥＵＬ  ｇｒａｎｔインデックス番号に基づいてＲ−ＣＣＥＵＬ  ｇｒａｎｔを検査し、自体のUL  grantを得る。
【０１０８】
該方法において、異なるRNのDL  grantは互相に一緒にインターリーブして第1のslotにマッピングされ、異なるRNのUL  grantは互相に一緒にインターリーブして第2のslotにマッピングされる。DL  grantとUL  grantが同じ或いは異なるaggregation  levelを備えられる。
【０１０９】
実施例四、PRB  indexに基づいてDL  grantとUL  grantをそれぞれ検査する。
【０１１０】
ステップ１、RNは、eNBがリレーのためにセミスタティックで予め保留する1グループのPRB  pairの1又は複数のPRB  pairの第１のslotに、eNBが送信したDL  grantを受信し、第2のslotにeNBが送信したUL  grantを受信しする。
【０１１１】
ステップ２、前記RNは、ＰＲＢＤＬ  ｇｒａｎｔと単に呼ばれる第１のslotのPRB  pairインデックス番号とＰＲＢＵＬ  ｇｒａｎｔと単に呼ばれる第２のslotのPRB  pairインデックス番号に基づいて、DL  grantとUL  grantをそれぞれ検査し、自体のDL  grantとUL  grantを得る。
【０１１２】
該方法において、異なるRNのDL  grantは一緒にインターリーブしないで第1のslotにマッピングされ、異なるRNのUL  granttは一緒にインターリーブしないで第2のslotにマッピングされる。DL  grantとUL  grantが同じaggregation  levelを備える時に、其のサーチスペースも同じである。DL  grantとUL  grantが異なるaggregation  levelを備える時に、其のサーチスペースも異なる。例えば、DL  grantとUL  grantのaggregation  levelのn値はすべてｎ∈｛１，２，４｝である時に、それぞれ対応するサーチスペースも完全的に同じである。DL  grantのaggregation  levelのn値はｎ∈｛１，２，４｝であり、しかし、UL  grantのaggregation  levelのn値はｎ∈｛１，２｝であると、DL  grantはUL  grantより、n=4のサーチスペースが多いである。
【０１１３】
相応的に、本発明の実施例のダウンリンク制御情報の検査装置は、リレーノードに用いられ、受信ユニットと検査ユニットを含む。
【０１１４】
前記受信ユニットは、eNBが送信したR-PDCCHにロードされた制御情報を受信し、制御リソースを得るために用いられる。
【０１１５】
前記検査ユニットは、制御リソースのインデックス番号に基づいて、受信ユニットから得られた制御リソースを検査し、該リレーノードの制御情報を得るために用いられる。
【０１１６】
其の中、前記制御リソースはR-CCE又はPRBユニットである。
【０１１７】
前記受信ユニットは、eNBがリレーのためにセミスタティックで予め保留する1グループのPRBに、eNBが送信したR-PDCCHにロードされた制御情報を受信し、FFTとデインターリーブによって、複数のR-CCEを得るためにさらに用いられる。
【０１１８】
前記受信ユニットは、eNBがリレーのためにセミスタティックで予め保留する1グループのPRBにおける１または複数のPRBに、eNBが送信したR-PDCCHにロードされた制御情報を受信するためにさらに用いられる。
【０１１９】
前記検査ユニットは、RN識別子、リレーサブフレームのサブフレーム番号、CCEの組み合わせフォーム及び候補の制御チャネルの個数によって、RNの専用のサーチスペースを知り、RNの専用のサーチスペースにおけるR-CCEに対して、ブラインド検査を行い、自体のRN識別子とマッチングするR-CCEを検査したと、該R-CCEにロードされた制御情報は該RN自体の制御情報であることにさらに用いられ、其の中、前記RNの専用のサーチスペースはR-CCEインデックス番号で表示される。
【０１２０】
前記検査ユニットは、RN識別子、リレーサブフレームのサブフレーム番号、PRBの組み合わせフォーム及び候補のPRBの個数によって、RNの専用のサーチスペースを知り、RNの専用のサーチスペースにおけるPRBに対して、ブラインド検査を行い、自体のRN識別子とマッチングするPRBを検査したと、該PRBにロードされた制御情報は該RN自体の制御情報であることにさらに用いられ、其の中、前記RNの専用のサーチスペースはPRBインデックス番号で表示される。
【０１２１】
前記検査ユニットは、eNBが前記RNのR-PDCCHの制御リソースのインデックス番号を通知することに基づき、さらに前記制御リソースのインデックス番号と対応する制御リソースを検査することにさらに用いられる。
【０１２２】
前記検査ユニットは、eNBと前記RNが、RNと制御リソースのインデックス番号との間の組み合わせフォームを規約したことによって、さらに前記制御リソースのインデックス番号と対応する制御リソースを検査することにさらに用いられる。
【０１２３】
以下、具体の応用例によって本発明をさらに説明する。
【０１２４】
応用例一、R-CCE  indexに基づいて、暗黙通知法を採用する具体の検査ステップは以下のように、
Backhaulサブフレームがあるサブフレームの番号はサブフレーム#1であり、即ちｋ＝１、20MHzのシステム帯域幅においてPRBの合計数が100であり、其の中R-PDCCHの伝送のために10のPRBを割り当て、R-PDCCHが合計で16のR-CCEから構成される、RN  IDがB396(16進法)であり、候補の制御チャネルの個数、即ちＥ（Ｌ）は4であり、ｅ＝０，１，２，３、Ｌ∈｛１，２｝、と仮定する。
【０１２５】
eNB端では
1)各RNのR-PDCCHにロードされた制御情報に対して、チャネルコードをそれぞれ行い、其の中、backhaul  linkチャネル品質に基づいて具体的に使用されたどのエンコードレートを確定する、例えば
【数１２】
0006026278.tif 000013
。
【０１２６】
2)エンコードした後のすべてのRNのR-PDCCHにロードされた制御情報を直列し、セル―専用のシーケンスでスクランブする。
【０１２７】
3)QPSK或いは16QAMの変調を行い、この時得られたのはすべてのR-PDCCHと対応する一列のR-CCEであり、それらに対してナンバリングを行い、即ちR-CCE  0  -  R-CCE  15である。
【０１２８】
4)REGのユニットで上記一列のR-CCEをインターリーブした後、eNBがリレーのためにセミスタティックで予め保留する10のPRBと対応するREにマッピングする。
【０１２９】
5)IFFTを行った後、発射する。
【０１３０】
RN端では、具体のR-PDCCHを検査するステップは以下のように、
ステップ１、受信端はeNBがリレーのためにセミスタティックで予め保留する10のPRBと対応するREを受信し、FFTを行った後、且つデインターリーブによって、発射端と同じ一列のR-CCEを得て、即ちR-CCE  0  --  R-CCE  15。
【０１３１】
ステップ2、RNは、RN  ID、backhaulサブフレームのサブフレーム番号、aggregation  level  L及び候補の制御チャネルの個数を利用し、異なるLと対応するRN-specificサーチスペース
【数１３】
0006026278.tif 000014
を算出し、
RNがLを1に確定する時に、対応するRN-specificサーチスペース
【数１４】
0006026278.tif 000015
：
【数１５】
0006026278.tif 000016
【数１６】
0006026278.tif 000017
【０１３２】
【数１７】
0006026278.tif 000018
Lを2に確定する時に、対応するRN-specificサーチスペース
【数１８】
0006026278.tif 000019
：
【０１３３】
【数１９】
0006026278.tif 000020
ステップ3、RNは先ず組み合わせが1のR-CCEである状況によって、RN-specificサーチスペース
【数２０】
0006026278.tif 000021
におけるR-CCE  9、R-CCE  10、R-CCE  11、R-CCE  12までのをブラインド検査する。自体とマッチングするRN  IDを有すると、ステップ5に進む。自体とマッチングするRN  IDを有しないと、ステップ4に進む。
【０１３４】
ステップ4、RNは組み合わせが２のR-CCEである状況によって、RN-specificサーチスペース
【数２１】
0006026278.tif 000022
における[R-CCE  2、R-CCE  3]、[R-CCE  4、R-CCE  5]、[R-CCE  6、R-CCE  7]、[R-CCE  8、R-CCE  9}までのをブラインド検査する。自体とマッチングするRN  IDを有すると、ステップ5に進む。自体とマッチングするRN  IDを有しないと、該サブフレームで自体に関連するダウンリンク制御情報を有しないことを説明する。
【０１３５】
ステップ5、RNは自体のR-PDCCHにロードされた制御情報を得た後、該制御情報の指示によって、相応するサービス情報を復調する。
【０１３６】
応用例二、R-CCE  indexに基づいて、明示通知法を採用する具体の検査ステップは以下のように、
eNB端では、
基地局はそれに属する各RNが占めたR-CCEのインデックス番号を固定値に設定し、例えば、RN1が占めたR-CCEのインデックス番号が２で、RN2が占めたR-CCEのインデックス番号が8と9である等。且つ各RNのR-CCE  indexの重なりを生じないことを保証する。
【０１３７】
RNが最初にアクセスされた時に、eNBがランダムアクセスのmessage  2で該R-CCE  indexをRNに通知する。
【０１３８】
例えば、あるbackhaulサブフレームにおいて16のR-CCEが有され、bitmapの方法を採用すると、16ビットを必要として最初R-CCE  indexを通知する。
【０１３９】
改善したツリー構造の方法を採用すると、
【数２２】
0006026278.tif 000023
ビットを必要とする。
【０１４０】
RN端では、
bitmap方法を採用すると、RNが受信した16ビットのbitmap図案に基づいて自体のR-CCE  indexを判断する。例えば、RN1が占めたR-CCE  indexが2であると、RNは受信したbitmap図案が0010000000000000であるはずだ、RN2が占めたR-CCEのインデックス番号が8と9であると、RNは受信したbitmap図案が0000000011000000であるはずだ。
【０１４１】
改善したツリー構造の方法を採用すると、RNは、eNBと規約したビットで表示するR-CCEの各種の組み合わせ方式に基づいて、例えば、10000は、RN1が占めたR-CCE  indexが0であることを表示し、11100は、RN1が占めたR-CCE  indexが6と7であることを表示し、等、message  2での5ビット情報に基づいて、其のR-PDCCHに具体的に占められたどれR-CCEが知られる。
【０１４２】
応用例三、固定されたR-CCE  indexに対して、R-PBCHを利用して其の変化情況をセミスタティックで通知する。
【０１４３】
eNBとRNとの両端でRNとR-CCE  indexとの間のいくつかの組み合わせ方式を予め規定し、例えば、一つの組み合わせ方式：RN1のR-CCE  indexが1であり、RN2のR-CCE  indexが3と4であり、RN3のR-CCE  indexが5である。別の組み合わせ方式：RN1のR-CCE  indexが2と3であり、RN2のR-CCE  indexが4であり、RN3のR-CCE  indexが6と7である、等。
【０１４４】
組み合わせ方式を変更する必要がある時に、eNBがR-PBCHを利用して、どの方式になることをRNに通知する。RNは相応の組み合わせ方式に基づいて、自体のR-CCE  indexを探した。
【０１４５】
応用例四、PRB  indexに基づいて、暗黙通知法を採用する具体の検査ステップは以下のように、
Backhaulサブフレームがあるサブフレーム番号はサブフレーム#1、即ちｋ＝１、20MHzのシステム帯域幅においてPRBの合計数が100であり、其の中backhaul  linkの伝送のために10のPRBを割り当て、即ち
【数２３】
0006026278.tif 000024
。RN  IDが3B50(16進法)であり、候補のPRBの個数mは4であり、即ちｍ＝０，１，２，３、ｎ∈｛１，２｝、と仮定する。
【０１４６】
eNB端では
1)各RNのR-PDCCHにロードされた制御情報に対して、チャネルコードをそれぞれ行い、其の中、backhaul  linkチャネル品質に基づいて具体的に使用されたどのエンコードレートを確定する、例えば
【数２４】
0006026278.tif 000025
。
【０１４７】
2)エンコードした後の各RNのR-PDCCHにロードされた制御情報を、セル―専用のシーケンスを其々使用してスクランブする。
【０１４８】
3)続いてQPSK或いは16QAMの変調を行い、この時得られたのは各RNの独立なR-PDCCHにロードされた制御情報である。
【０１４９】
4)eNBはチャネルの周波数選択特性を利用し、上記各RNのR-PDCCHにロードされた制御情報を、それぞれのチャネル条件がわりに良い1又は2のPRBにマッピングする。
【０１５０】
5)IFFTを行った後、発射する。
【０１５１】
RN端では、具体のR-PDCCHを検査するステップは以下のように、
ステップ１、受信端はRN  ID、backhaulサブフレームのサブフレーム番号、n及び候補のPRBの個数を利用し、異なるnと対応するRN-specificサーチスペース
【数２５】
0006026278.tif 000026
を算出し、
（1）RNがnを1に確定する時に、対応するRN-specificサーチスペース
【数２６】
0006026278.tif 000027
：
【数２７】
0006026278.tif 000028
【数２８】
0006026278.tif 000029
【０１５２】
【数２９】
0006026278.tif 000030
（2）Lを2に確定する時に、対応するRN-specificサーチスペース
【数３０】
0006026278.tif 000031
：
【０１５３】
【数３１】
0006026278.tif 000032
ステップ2、RNは先ずRN-specificサーチスペース
【数３２】
0006026278.tif 000033
におけるPRB  3、PRB  4、PRB  5と  PRB  6をそれぞれ受信してFFTをそれぞれ行い、そして、ブラインド検査を行う。自体とマッチングするRN  IDを有すると、ステップ5に進む。自体とマッチングするRN  IDを有しないと、ステップ4に進む。
【０１５４】
ステップ4、RNは、RN-specificサーチスペース
【数３３】
0006026278.tif 000034
における{  PRB  6、PRB  7}と  {  PRB  8、PRB  9}をそれぞれ受信してFFTをそれぞれ行い、そして、ブラインド検査を行う。自体とマッチングするRN  IDを有すると、ステップ5に進む。自体とマッチングするRN  IDを有しないと、該サブフレームで自体に関連するダウンリンク制御情報を有しないことを説明する。
【０１５５】
ステップ5、RNは自体のR-PDCCHにロードされた制御情報を得た後、該制御情報の指示によって、相応するサービス情報を復調する。
【０１５６】
応用例五、PRB  indexに基づいて、明確通知法を採用する具体の検査ステップは以下のように、
NB端では、
1)基地局はそれに属する各RNのPRB  indexを固定値に設定し、例えば、RN1が占めたPRB  indexが５で、RN2が占めたPRB  indexが７と８である等。且つ各RNが占めたPRB  indexの重なりを生じないことを保証する。
【０１５７】
2)RNが最初にアクセスされた時に、eNBがランダムアクセスのmessage  2で又は高層シグナリングを利用して、該PRB  indexをRNに通知する。例えば、20MHzのシステム帯域幅においてPRBの合計数が100であり、其の中R-PDCCHの伝送のために10のPRBを割り当て、bitmapの方法を採用すると、10ビットを必要としてPRB  indexを通知する。改善したツリー構造の方法を採用すると、
【数３４】
0006026278.tif 000035
ビットしか必要としない。
【０１５８】
RN端では、
bitmap方法を採用すると、RNが受信した１０ビットのbitmap図案に基づいて自体のPRB  indexを判断する。例えば、RN1が占めたPRB  indexが５であると、RNは受信したbitmap図案が0000010000であるはずだ、RN2が占めたPRB  indexが７と８であると、RNは受信したbitmap図案が0000000110であるはずだ。
【０１５９】
2)改善したツリー構造の方法を採用すると、eNBとRNが約束したビットで表示するPRBの各種の組み合わせ方式に基づいて、RNがmessage  2又は高層シグナリングでの5ビット情報に基づいて、其のR-PDCCHがどれPRBを具体的に占めることを知られる。
【０１６０】
応用例六、固定されたPRB  indexに対して、R-PBCHを利用して其の変化情況をセミスタティックで通知する。
【０１６１】
eNBとRNとの両端でRNとPRB  indexとの間のいくつかの組み合わせ方式を予め規定し、例えば、一つの組み合わせ方式：RN1のPRB  indexが1であり、RN2のPRB  indexが８と９であり、RN3のPRB  indexが18と１９である。別の組み合わせ方式：RN1のPRB  indexが49と50であり、RN2のR-CCE  indexが69と70であり、RN3のR-CCE  indexが90である、等。
【０１６２】
組み合わせ方式を変更する必要がある時に、eNBがR-PBCHを利用して、どの方式になることをRNに通知する。RNは相応の組み合わせ方式に基づいて、自体のPRB  indexを探した。
【０１６３】
上記に説明するように、本発明はリレーノードに良く適用でき、リレーノードがダウンリンク制御情報を検査する時わりに低い複雑度を備えることを保証し、全部システムの効率を高めた。
【０１６４】
もちろん、本発明は他の多種の実施例を備えられ、本発明の精神及び其の本質がはずれない場合に、本領域によく知っている技術者は本発明に基づいて、各種の相応の変更と変形をするが、それら相応の変更と変形は本発明に付く請求項の保護範囲に属する。
【産業上の利用可能性】
【０１６５】
本発明は、backhaul  linkのわりによいチャネル条件を十分に利用し、RNがR-PDCCHに対しての検査の複雑度を大幅に簡素化した。本発明はRNに良く用いられることができ、システムオーバーヘッドを節約し、システムの伝送効率を高めた。
【図１】
0006026278.tif 000040
【図２】
0006026278.tif 000041
【図３】
0006026278.tif 000042
【図４】
0006026278.tif 000043
【図５】
0006026278.tif 000044